(57)【要約】      （修正有）【課題】スマートフォンや携帯電話、タブレットＰＣなどの情報処理端末の表示部に表示された映像を立体視する際に、屋外で使用する場合であっても、外部からの光を遮断して映像を見やすくして、観察者の観察位置を適切な焦点位置に誘導することができる映像観察装置を提供する。【解決手段】情報処理端末１０の表示部１０ａに表示された映像を観るための映像観察装置１Ｂであって、観察者の眼前に配置され、左右の眼に対応した箇所に配置される一対のレンズ部材２１，２１を備えるレンズ部２０２とを有する。さらに、情報処理端末１０が設置される台座部２０３と、レンズ部２０２と台座部２０３との間に保持され、情報処理端末１０に表示された映像光を一対のレンズ部材２１，２１に向けて反射させるミラー部材２２を備えるミラー部２０４とを備え、レンズ部２０２、台座部２０３、及びミラー部２０４は、折りたたみ可能に連結されている。【選択図】図２
0003183228.tif 000002
【実用新案登録請求の範囲】
【請求項１】
情報処理端末の表示部に表示された映像を観るための映像観察装置であって、
観察者の眼前に配置され、左右の眼に対応した箇所に配置されるレンズ部と、
前記情報処理端末が設置される台座部と、
前記レンズ部と前記台座部との間に保持され、前記情報処理端末に表示された映像光を前記レンズ部に向けて反射させるミラー部と、
を備え、
前記レンズ部、前記台座部、及び前記ミラー部は、折りたたみ可能に連結されている
ことを特徴とする映像観察装置。
【請求項２】
情報処理端末の表示部に表示された映像を観るための映像観察装置であって、
観察者の眼前に配置され、左右の眼に対応した箇所に配置されるレンズ部と、
前記情報処理端末が設置される台座部と、
前記レンズ部と前記台座部との間に保持され、前記情報処理端末に表示された映像光を前記レンズ部に向けて反射させるミラー部と、
前記レンズ部の上部に位置し、前記レンズ部の面と交差する方向に向けて突出する遮光部とを備えることを特徴とする映像観察装置。
【請求項３】
前記台座部の一端には、前記レンズ部が連結されるとともに、他端には前記ミラー部が連結され、
前記ミラー部の前記台座部が連結された一端の反対側の一端には、前記遮光部が連結されている
ことを特徴とする請求項２に記載の映像観察装置。
【請求項４】
前記レンズ部の前記台座部が連結された一端の反対側の一端には、凸部が形成され、
前記凸部は、前記遮光部に設けられた係合孔に係合される
ことを特徴とする請求項３に記載の映像観察装置。
【請求項５】
前記レンズ部の一端には、当該レンズ部と同一形状の貫通孔が設けられた補強部が連結されている
ことを特徴とする請求項１乃至４のいずれかに記載の映像観察装置。
【請求項６】
前記遮光部の前記ミラー部が連結された一端の反対側の一端は、前記係合孔に向けて湾曲形状をなしている
ことを特徴とする請求項３乃至５のいずれかに記載の映像観察装置。
【請求項７】
前記台座部の表面には、前記表示部に表示された映像位置に合致させるための基準表示が記されるとともに、
前記基準表示に基づいて配置された前記情報処理端末を位置決めする保持部とを備えることを特徴とする請求項１乃至６のいずれかに記載の映像観察装置。
【考案の詳細な説明】
【技術分野】
【０００１】
本考案は、情報処理端末の表示部に表示された立体映像を見るための映像観察装置に関する。
【背景技術】
【０００２】
従来、観察者の左眼及び右眼に互いに視差がある２次元映像である左眼用映像と右眼用映像を、別々に提供して立体視を実現する技術が知られている。左眼用映像を左眼だけに提供し、右眼用映像を右眼用だけに提供する方法としては、例えば、左眼用映像と右眼用映像を交互に表示し、この交互表示と同期して観察者が装着したメガネの左右のシャッタを開閉するシャッタ方式がある。また、例えば、左眼用映像と右眼用映像の偏光方向を異ならせ、観察者が装着したメガネの偏光フィルターにより一方の画像のみが透過するようにする偏光方式がある。更に、ＨＭＤ（Ｈｅａｄ  Ｍｏｕｎｔｅｄ  Ｄｉｓｐｌａｙ）のように、観察者の左右の眼に独立して像を提供する光学系を備えた装置を使う方式もある（例えば、特許文献１）。
【先行技術文献】
【特許文献】
【０００３】
【特許文献１】特開２００４−１０４７４２号公報
【考案の概要】
【考案が解決しようとする課題】
【０００４】
しかしながら、上記のような偏光フィルター、シャッタ制御機構、又は光学系を備える立体映像装置は、各機器が高価で、且つ部品点数が多いため、製造コストが高いという問題点があった。
【０００５】
そこで、本考案は以上の点に鑑みてなされたもので、簡易な構成で、且つ安価に立体映像コンテンツを視聴可能とし、立体映像を観察する機会を増やすことができる映像観察装置を提供することをその課題とする。
【課題を解決するための手段】
【０００６】
上記課題を解決するために、本考案は、情報処理端末の表示部に表示された映像を観るための映像観察装置であって、観察者の眼前に配置され、左右の眼に対応した箇所に配置されるレンズ部と、前記情報処理端末が設置される台座部と、前記レンズ部と前記台座部との間に保持され、前記情報処理端末に表示された映像光を前記レンズ部に向けて反射させるミラー部とを備え、前記レンズ部、前記台座部、及び前記ミラー部は、折りたたみ可能に連結されていることを特徴とする。
【０００７】
このような考案によれば、多くの人が所有する情報処理端末を用いて右眼用及び左眼用の画像を表示させ、その他は、レンズ部やミラー部など最低限の構成としているので、情報処理端末以外の構成部材を簡易且つ安価に製造できるため、多くのユーザーに立体映像を観察させる機会を増やすことができる。また、、前記レンズ部、前記台座部、及び前記ミラー部は、折りたたみ可能に連結され、一枚のシート部材で形成し、シート部材を折り曲げることで利用可能な簡易な構造となることから、観察者にとっては組み立てが容易となり、製造者側にあっては、各部材を別途組付ける必要がないため、製造工程を減らし、製造コストを低減させることができる。
【０００８】
なお、上記考案において、「情報処理端末が設置される」という形態としては、台座部上に情報処理端末が載置、係合又は収納などの方式の他、台座部が情報処理端末上に載置、係合等の工程方式などが挙げられる。
【０００９】
また、他の本考案は、情報処理端末の表示部に表示された映像を観るための映像観察装置であって、観察者の眼前に配置され、左右の眼に対応した箇所に配置されるレンズ部と、前記情報処理端末が設置される台座部と、前記レンズ部と前記台座部との間に保持され、前記情報処理端末に表示された映像光を前記レンズ部に向けて反射させるミラー部と、前記レンズ部の上部に位置し、前記レンズ部の面と交差する方向に向けて突出する遮光部とを備えることを特徴とする。
【００１０】
このような本考案では、上記と同様の効果が得られる。さらに本考案では、レンズ部の上部に、レンズ部の面と交差する方向に向けて突出する遮光部を備えているので、本装置を屋外で使用した場合であっても、観察者の眼に向かって差し込まれる外光を遮断することができる。これにより、表示部で表示された映像が見にくくなることを防止できるため、観察者は、適切な焦点距離でレンズ部を覗き込み、焦点が合った映像を観察することができる。
【００１１】
上記考案において、台座部の一端には、レンズ部が連結されるとともに、他端にはミラー部が連結され、ミラー部の台座部が連結された一端の反対側の一端には、遮光部が連結されていることが好ましい。
【００１２】
この場合には、各部材は連結されているため、各部材を各連結部分で折り曲げることで４方向を囲むような筐体に形成させ、その筐体の内部に情報処理端末を配置させることのみで、立体映像を観察させることができる。このように、本考案によれば、簡易な構造であるため、ユーザーにとっては組み立てが容易となる。また、各部材を別途組付ける必要がないため、製造工程を減らし、製造コストを低減させることができる。
【００１３】
上記考案において、レンズ部の台座部が連結された一端の反対側の一端には、凸部が形成され、凸部は、遮光部に設けられた係合孔に係合されることが好ましい。この場合には、レンズ部の端に設けられた凸部を、遮光部に設けられた係合孔に係合させることのみで、組み立てられた各部材の立体形状を維持することができるため、使用時において、映像の焦点がずれてしまうことを防止することができる。
【００１４】
上記考案において、レンズ部の一端には、レンズ部と同一形状の貫通孔が設けられた補強部が連結されていることが好ましい。この場合には、レンズ部の一端を境にして、レンズ部及び補強部を折りたたみ、それぞれを重ね合わせることで、レンズ部の厚みが増加して、組み立てされた際の本装置の強度を向上させることができる。この際、補強部には、レンズ部と同一形状の貫通孔が設けられているので、補強部とレンズ部とを重ね合わせた場合であっても、補強部がミラー部から反射された映像光を遮ることを防止できる。
【００１５】
上記考案において、遮光部のミラー部が連結された一端の反対側の一端は、係合孔に向けて湾曲形状をなしていることが好ましい。この場合、遮光部の一端は係合孔側に向けて湾曲されているので、遮光部を観察者の額の形状に沿うように配置させることが可能となる。その結果、本考案によれば、観察者の眼に差し込む外光を適切に遮断することができる。
【００１６】
上記考案において、台座部の表面には、表示部に表示された映像位置に合致させるための基準表示が記されるとともに、基準表示に基づいて配置された情報処理端末を位置決めする保持部とを備えることが好ましい。この場合には、基準表示に基づいて情報処理端末を配置させて、保持部で情報処理端末を台座部の表面において位置決めするので、立体映像が適切に観察することができる位置に情報処理端末を固定でき、立体映像を観察するための設定を容易にすることができる。
【考案の効果】
【００１７】
以上述べたように、この考案によれば、スマートフォンや携帯電話、タブレットＰＣなどの情報処理端末の表示部に表示された映像を立体視する際に、屋外で使用する場合であっても、外部からの光を遮断して映像を見やすくして、観察者の観察位置を適切な焦点位置に誘導することができる。
【図面の簡単な説明】
【００１８】
【図１】第１実施形態に係る立体映像観察装置の全体構成を示す斜視図である。
【図２】第２実施形態に係る立体映像観察装置の全体構成を示す斜視図である。
【図３】第２実施形態に係る筐体を展開した展開図である。
【図４】第２実施形態に係る情報処理端末を筐体内に配置させた状態を側面より示す説明図である。
【考案を実施するための形態】
【００１９】
以下、本考案に係る３Ｄビューアである立体映像観察装置の実施形態について図面を参照しつつ、詳細に説明する。
【００２０】
［第１実施形態］
図１は、第１実施形態に係る立体映像観察装置の全体構成を示す斜視図である。図１に示すように、本考案に係る映像観察装置１Ａは、情報処理端末１０の表示部１０ａに表示された映像を観るための映像を観るための装置であって、情報処理端末１０と、情報処理端末１０を収納する筐体２０Ａとから構成される。
【００２１】
情報処理端末１０は、内部にＣＰＵを備える携帯可能な情報処理端末であり、後述するが、表示部１０ａに右眼用及び左眼用の映像がそれぞれ表示される。
【００２２】
一方、筐体２０Ａは、紙、又はプラステック等の一枚のシート部材で形成され、組み立てることで内部中空な略長方形状をなしている。この筐体２０Ａは、図１に示すように、観察者の眼前に配置され、左右の眼に対応した箇所に配置されるレンズ部２０２と、情報処理端末１０が設置される台座部２０３と、レンズ部２０２と台座部２０３との間に保持され、情報処理端末１０に表示された映像光をレンズ部２０２に向けて反射させるミラー部２０４と、台座部２０３と対向するように配置される上面部２０６と、レンズ部２０２と連結される補強部２０１を備え、レンズ部２０２、台座部２０３、及びミラー部２０４は、折りたたみ可能に連結されている。
【００２３】
なお、第１実施形態の各構成の詳細については、第２実施形態において詳述するものとする。ここで、第１実施形態と第２実施形態とにおいて、同一の構成要素には同一の符号を付しており、その機能等は同一である。
【００２４】
（作用・効果）
このような本実施形態によれば、多くの人が所有する情報処理端末１０を用いて右眼用及び左眼用の画像を表示させ、その他は、レンズ部２０２及びミラー部２０４など最低限の構成とした筐体２０Ａを用いているので、偏光レンズやレンズシャッタ制御機構など高価な機器を用いることなく、簡易且つ安価に立体映像を観察させることができる。
【００２５】
また、本実施形態によれば、筐体２０は、一枚のシート部材で形成されており、各部材を各連結部分で折り曲げることのみで利用可能な簡易な構造となっている。そのため、ユーザーにとっては組み立てが容易となる。また、各部材を別途組付ける必要がないため、製造工程を減らし、製造コストを低減させることができる。
【００２６】
［第２実施形態］
次いで、本考案の第２実施形態について説明する。図２は、第２実施形態に係る立体映像観察装置の全体構成を示す斜視図であり、図３は、第２実施形態に係る筐体を展開した展開図である。図４は、第２実施形態に係る情報処理端末１０を筐体内に配置させた状態を側面より示す説明図である。
【００２７】
図２に示すように、本考案に係る映像観察装置１Ｂは、観察者が所有する情報処理端末１０の表示部１０ａに表示された映像を観るための装置であって、情報処理端末１０と、情報処理端末１０を収納する筐体２０とから構成される。
【００２８】
情報処理端末１０は、無線通信を利用した、携帯可能な情報処理端末であり、基地局等の中継点情報処理端末が無線で通信し、通話やデータ通信等の通信サービスを移動しつつ受けることができる。この情報処理端末の通信方式としては、例えば、ＦＤＭＡ方式、ＴＤＭＡ方式、ＣＤＭＡ方式、Ｗ−ＣＤＭＡの他、ＰＨＳ（Ｐｅｒｓｏｎａｌ  Ｈａｎｄｙｐｈｏｎｅ  Ｓｙｓｔｅｍ）方式等が挙げられる。また、この情報処理端末は、デジタルカメラ機能、アプリケーションソフトの実行機能、あるいはＧＰＳ（Ｇｌｏｂａｌ  Ｐｏｓｉｔｉｏｎｉｎｇ  Ｓｙｓｔｅｍ）等による位置情報  情報処理端末のメモリは、ＯＳ（Ｏｐｅｒａｔｉｎｇ  Ｓｙｓｔｅｍ）や、立体映像コンテンツ、その他、当該端末に搭載される各種のアプリケーション用のプログラム、当該端末の機器識別情報（ＩＤ）などが記憶されている。
【００２９】
情報処理端末のＣＰＵは、一般のＯＳやブラウザソフト、メディア視聴アプリケーションを実行する。本実施形態において、ＣＰＵは、視力能力に関する各種のプログラムを実行し、メモリに記録された立体映像コンテンツを表示部１０ａに表示させる。
【００３０】
このＣＰＵにおいて、本考案に係る各種プログラムが実行されると、映像として、観察者の左右の眼に対応させた左眼用映像と右眼用映像との間に、輻輳角及び視差を発生させて構成された立体映像を画面上に表示させるとともに、立体映像の輻輳角及び視差を変化させて、観測者の眼に対する焦点を、観察者に対して接近及び離隔するように誘導する。これによって右眼には右眼用映像のみ焦点が合うとともに、左眼には左眼用映像のみ焦点が合うようになり、良好な立体映像が観察することができる。
【００３１】
一方、筐体２０は、紙、又はプラステック等で形成され、内部中空な略長方形状をなしている。この筐体２０は、図２に示すように、観察者の眼前に配置される側面を形成するレンズ部２０２と、筐体２０の底面を形成し、情報処理端末１０が設置される台座部２０３と、レンズ部２０２と台座部２０３との間に保持され、情報処理端末１０に表示された映像光をレンズ部２０２側に向けて反射させるミラー部材２２を備えるミラー部２０４とを備える。また、レンズ部２０２の上部には、レンズ部２０２の面と交差して、外方に向けて突出する遮光部２０５とを備える。
【００３２】
このような筐体２０は、図３に示した展開図のように、一枚のシート部材を切り抜くことにより一体成形されている。具体的には、図３に示すように、台座部２０３が中央部分に配置されている。そして、台座部２０３の一端には、レンズ部２０２が連結されるとともに、他端にはミラー部２０４が連結されている。また、ミラー部２０４の台座部２０３が連結された一端の反対側の一端には、遮光部２０５が連結されている。さらに、レンズ部２０２の台座部２０３が連結された一端の反対側の一端には補強部２０１が連結されている。なお、各部の連結部分には、それぞれ内側に折り曲げやすくなるように、折り目又はミシン目が形成されている。
【００３３】
レンズ部２０２には、左右の眼に対応した箇所が切り抜かれ、当該部分に一対のレンズ部材２１，２１がそれぞれ形成されている。一対のレンズ部材２１，２１は、焦点に作られた実像を拡大する凸状の接眼レンズであり、レンズ部２０２上において、左右の眼に対応した箇所に配置されている。なお、レンズの形状は、限定するものではなく、例えば、通常の凸レンズを同心円状の領域に分割し厚みを減らして、のこぎり状の断面を持つシート状のフレネルレンズを用いてもよい。
【００３４】
また、ミラー部２０４には、情報処理端末１０に表示された右眼用及び左眼用の映像光を、それぞれのレンズ部材２１，２１に向けて反射させるミラー部材２２が貼着されている。なお、このミラー部材２２は、組み立て時において、台座部２０３と向かい合う側の面に形成されている。
【００３５】
台座部２０３には、表示部１０ａに表示された映像位置に合致させるための基準表示が記されている。具体的には、図３に示すように、台座部２０３のシート中心点を通過する上下方向及び左右方向に伸びる中心線２１１，２１２が記されているとともに、情報処理端末１０の外縁部分が位置する箇所にマーク２１３が記されている。このマーク２１３は、各社の情報処理端末１０のサイズに基づいて複数表示されている。
【００３６】
また、台座部２０３の両端付近には、それぞれ折り目が形成されており、その折り目に沿って台座部２０３を折り曲げることで、情報処理端末１０の側面に当接される右側面部２０３ｂと、左側面部２０３ａとが形成される。
【００３７】
なお、台座部２０３には、情報処理端末１０を台座部２０３上の適切な位置に保持する保持部２３を設けてもよい。保持部２３は、情報処理端末１０を位置決めする部材であり、例えば、スポンジやウレタン等の可撓性部材で形成された部材を台座部２０３上に配置して、情報処理端末１０の側面に接触させて端末１０を保持する構成としてもよい。また、保持部２３としては、例えば、台座部２０３の一部に略コの字状の切り目を設けて、当該切り目で囲まれた部分を情報処理端末１０が設置される側に折り曲げて、情報処理端末１０の側面に接触させて保持する構成であってもよい。
【００３８】
また、本実施形態では、レンズ部２０２と補強部２０１とは、これらの部材を連結する折り目に沿って折りたたみ可能となっており、使用時には、図２に示すように、レンズ部２０２と補強部２０１とを重ね合わすようになっている。ここで、補強部２０１には、一対のレンズ部材２１，２１と同一形状の貫通孔２０１ｂ，２０１ｂが設けられている。したがって、補強部２０１とレンズ部２０２とを重ね合わせた場合であっても、補強部２０１がミラー部材２２から反射された映像光を遮ることはない。
【００３９】
さらに、本実施形態において、レンズ部２０２と補強部２０１とが連結された折り目部分には、略コの字状の切れ目が形成されており、当該折り目を折り曲げることで、外方に向けて突出した凸部２０１ａが形成される。一方、遮光部２０５には、遮光部２０５を貫通する係合孔２０５ａが形成されている。そして、筐体２０の組み立て時には、凸部２０１ａが係合孔２０５ａに挿通されることで、筐体２０の立体形状が維持されるようになっている。
【００４０】
遮光部２０５は、外部からの光を遮断する部材であり、本実施形態では、係合孔２０５ａよりもミラー部２０４側の部分（第１実施形態における上面部２０６に相当する。）は筐体内部に差し込まれる外光を遮断し、係合孔２０５ａよりも観察者側の部分は観察者の眼に差し込まれる外光を遮断する。また、遮光部２０５のミラー部２０４が連結された一端の反対側の一端２０５ｂは、係合孔２０５ａに向けて湾曲形状をなしている。
【００４１】
このような映像観察装置１Ｂでは、筐体２０を組み立てると、図４に示すように、レンズ部２０２は、情報処理端末１０の表示部１０ａの表面に対して垂直に起立された状態となり、ミラー部２０４は、表示部１０ａの表面に対して略４５度の角度で傾いた状態となる。
【００４２】
そして、内部に情報処理端末１０を収納させた状態で、表示部１０ａに立体映像を表示させると、図４に示すように、表示部１０ａから出射された映像光は、ミラー部２０４に入射される。映像光は、ミラー部２０４に入射されるとミラー部材２２によって反射され、一対のレンズ部材２１，２１側へ出射される。そして、一対のレンズ部材２１，２１には、それぞれ右眼用画像及び左眼用画像が入射され、観察者の眼ＥＹＥには立体映像が見えるようになる。これにより、第１実施形態と同様な作用効果を有する。
【００４３】
また本実施形態では、レンズ部２０２の上部には、観察者に向かって突出する遮光部２０５が形成されているので、観察者の上部から差し込まれる外光Ｌを遮って、外光Ｌが観察者の眼ＥＹＥに入射されることを防止している。その結果、観察者は、適切な焦点距離でレンズ部２０２を覗き込むことができ、焦点が合った立体映像を観察することができる。
【００４４】
また、遮光部２０５のミラー部２０４が連結された一端の反対側の一端２０５ｂは、係合孔２０５ａに向けて湾曲形状をなしているので、観察者の額の形状に沿うように配置させることができる。
【００４５】
さらに、本実施形態では、組み立てられた筐体２０の形状を維持するための機能を備えている。具体的には、レンズ部２０２の一端には、補強部２０１が連結されており、使用時には、レンズ部２０２と補強部２０１とを重ね合わせる構成としている。これにより、レンズ部２０２の厚みが増加して、筐体２０の強度を向上させることができる。この際、補強部２０１には、一対のレンズ部材２１，２１と同一形状の貫通孔２０１ｂ，２０１ｂが設けられているので、一対のレンズ部材２１，２１に対して向かって入射される映像光を遮ることはない。
【００４６】
さらに、本実施形態では、組み立て時には、凸部２０１ａを係合孔２０５ａに係合されているので、組み立てられた筐体２０の立体形状を維持することができる。
このように本実施形態によれば、筐体２０の立体形状を維持することができるため、映像観察装置１Ｂの使用時において、筐体２０が変形して映像の焦点がずれてしまうことを防止することができる。なお、この効果は第１実施形態についても同様である。
【００４７】
（変更例）
なお、上述した実施形態の説明は、本考案の一例である。このため、本考案は上述した実施形態に限定されることなく、本考案に係る技術的思想を逸脱しない範囲であれば、設計等に応じて種々の変更や、それぞれの構成を組み合わせることが可能であることはもちろんである。
【００４８】
例えば、上述した実施形態では、台座部２０３とレンズ部２０２とを垂直に配置させ、ミラー部２０４を台座部２０３に対して略４５度の角度で傾いた状態で配置させたが、本考案は、これに限定するものでなく、表示部１０ａに表示された画像がミラー部材２２に反射されて一対のレンズ部材２１，２１に入射され、観察者が適切な立体画像を観察できればよく、ミラー部２０４とレンズ部２０２との角度は限定されないものとする。
【００４９】
さらに、筐体２０の短手方向の側面には、シート部材を設けなかったが、この側面部分において、外光が差し込むことを防止するための遮光シートを設けてもよい。このような遮光シートは、その他のシート部材と一体形成されてなくてもよく、また、例えば、着脱可能な他の部材（紙、プラスチック、又は布等）を用いてもよい。
【符号の説明】
【００５０】
ＥＹＥ…眼
Ｌ…外光
ＰＣ…タブレット
１Ａ，１Ｂ…映像観察装置
１０，１０Ａ…情報処理端末
１０ａ…表示部
２０，２０Ａ…筐体
２１，２１…一対のレンズ部材
２２…ミラー部材
２３…保持部
２０１…補強部
２０１ａ…凸部
２０１ｂ…貫通孔
２０２…レンズ部
２０３…台座部
２０３ａ…左側面部
２０３ｂ…右側面部
２０４…ミラー部
２０５…遮光部
２０５ａ…係合孔
２０６…上面部
２１１，２１２…中心線
２１３…マーク
【図１】
0003183228.tif 000003
【図２】
0003183228.tif 000004
【図３】
0003183228.tif 000005
【図４】
0003183228.tif 000006